(57)【特許請求の範囲】
【請求項１】
本体内部に設置されて調理物を入れる内鍋と、前記内鍋を加熱する加熱手段と、内鍋からの調理物のふきこぼれを検知する検知手段と、炊飯を制御する炊飯制御手段と、炊飯中に前記検知手段がふきこぼれを検知したときにふきこぼれないようにパワーを落とす第一のパワー制御手段と、内鍋に水を入れ沸騰させ、においを飛ばすクリーニング機能を制御するクリーニング制御手段と、クリーニング機能を選択、開始させる入力手段と、クリーニング機能動作中にもふきこぼれを検知したときにふきこぼれないようにパワーを落とす第二のパワー制御手段を備えた炊飯器。
【請求項２】
検知手段がふきこぼれがおきているのを検知している時間を計時する第一のタイマと、前記第一のタイマが計時している時間がある一定時間以上になると、ふきこぼれ用の調理制御を行う時間異常制御手段を付加した請求項１記載の炊飯器。
【請求項３】
検知手段が何回ふきこぼれを検知しているかという回数をカウントするカウンタと、前記カウンタがカウントしている回数がある一定回数以上になると、ふきこぼれ用の調理制御を行う回数異常制御手段を付加した請求項１記載の炊飯器。
【請求項４】
クリーニング機能がスタートしてからの時間を計時する第二のタイマと、前記第二のタイマの計時している時間がある一定時間になったらクリーニング機能を終了させるクリーニング終了手段と、前記時間異常制御手段による制御中でも前記クリーニング終了手段を動作させる時間異常終了手段を付加した請求項２記載の炊飯器。
【請求項５】
回数異常制御手段による制御中でもクリーニング終了手段を動作させる回数異常終了手段を付加した請求項３記載の炊飯器。
【請求項６】
時間異常制御手段による制御中に、検知手段がふきこぼれを検知したときにふきこぼれないようにパワーを落とす第三のパワー制御手段を付加した請求項２記載の炊飯器。
【請求項７】
回数異常制御手段による制御中に、検知手段がふきこぼれを検知したときにふきこぼれないようにパワーを落とす第四のパワー制御手段を付加した請求項３記載の炊飯器。
【発明の詳細な説明】
【０００１】
【発明の属する技術分野】
本発明は、炊飯器に関するものである。
【０００２】
【従来の技術】
近年、清潔化傾向の中で、汚れや臭いに対して、鋭敏な消費者が増えてきている。
【０００３】
以下に従来の炊飯器について説明する。
図７は、従来の炊飯器のブロック図である。図７にもとづいて説明する。１が調理物を入れる内鍋であり、内鍋１中の調理物を加熱手段２が加熱する。３がふきこぼれを検知する検知手段であり、炊飯中に検知手段３がふきこぼれを検知すると、パワー制御手段４がパワーを落とす。炊飯中の動作は炊飯制御手段５で制御する。そして最近の炊飯器には、内鍋１に水を入れて、その水を一定時間、沸騰させて、炊飯器のにおいを消す、炊飯器内部の汚れを落ちやすくするといったクリーニング機能がついている。６は前記クリーニング機能を制御するクリーニング制御手段であり、入力手段７によってクリーニング機能の動作を開始する。クリーニング機能を動作させる一定時間はタイマ８によって計時しており、一定時間がたつと、クリーニング終了手段９によって、クリーニング機能を終了させる。
【０００４】
【発明が解決しようとする課題】
しかしながら、上記のような構成では、クリーニング機能中には、検知手段３は、動作を行わないようになっている。クリーニング機能中には、鍋に適量の水を入れているだけなので、通常、ふきこぼれは起こらないが、鍋にあまりに多くの水を入れた場合には水がふきこぼれるといった問題や、鍋に水と米を入れて炊飯をスタートするつもりが、誤ってクリーニング機能をスタートさせた場合にふきこぼれが起こり、掃除をするのに手間がかかるといった問題があった。
【０００５】
そこで本発明では、水の入れ過ぎや炊飯を行うつもりが誤ってクリーニング機能を選択したといった、誤使用の場合でも周りを汚さない使い勝手の良い炊飯器を得ることを第一の目的としている。
【０００６】
また、誤使用の場合でも、一定の性能を保証することを第二、第三、第四、第五、第六、第七の目的としている。
【０００７】
【発明を解決するための手段】
上記第一の目的を達成するために本発明は、本体内部に設置されて調理物を入れる内鍋と、前記内鍋中の調理物を加熱する加熱手段と、内鍋からの調理物のふきこぼれを検知する検知手段と、内鍋に水を入れ沸騰させ、においを飛ばすクリーニング機能を制御するクリーニング制御手段と、クリーニング機能を選択、開始させる入力手段と、クリーニング機能動作中にも検知手段がふきこぼれを検知したときにふきこぼれないようにパワーを落とす第二のパワー制御手段よりなるものである。
【０００８】
上記第二の目的を達成するために本発明は、検知手段がふきこぼれがおきているのを検知している時間を計時する第一のタイマと、第一のタイマが計時している時間がある一定時間以上になったらふきこぼれ用の調理制御を行って、炊飯のつもりが誤ってクリーニング機能を選択された場合でも、一定以上の調理性能を保証する時間異常制御手段を付加するものである。
【０００９】
上記第三の目的を達成するために本発明は、前記検知手段が何回ふきこぼれを検知しているかという回数をカウントするカウンタと、カウンタがカウントしている回数がある一定回数以上になったらふきこぼれ用の調理制御を行って、炊飯のつもりが誤ってクリーニング機能を選択された場合でも、一定以上の調理性能を保証する回数異常制御手段を付加するものである。
【００１０】
上記第四の目的を達成するために本発明は、クリーニング機能がスタートしてからの時間を計時する第二のタイマと、第二のタイマの計時している時間がある一定時間になったらクリーニング機能を終了させるクリーニング終了手段と、水の量が多すぎるといった場合の時間異常制御手段による制御中でも、クリーニング正常動作と同じ時間にクリーニング終了手段を動作させる時間異常終了手段を付加するものである。
【００１１】
上記第五の目的を達成するために本発明は、水の量が多すぎるといった場合の回数異常制御手段による制御中でも、クリーニング正常動作と同じ時間にクリーニング終了手段を動作させる回数異常終了手段を付加するものである。
【００１２】
上記第六の目的を達成するために本発明は、時間異常制御手段による制御中にも、ふきこぼれが発生しないように検知手段がふきこぼれを検知したとき、ふきこぼれないようにパワーを落とす第三のパワー制御手段を付加するものである。
【００１３】
上記第七の目的を達成するために本発明は、回数異常制御手段による制御中にも、ふきこぼれが発生しないように検知手段がふきこぼれを検知したとき、ふきこぼれないようにパワーを落とす第四のパワー制御手段を付加するものである。
【００１４】
【発明の実施の形態】
請求項１に記載の発明は、水の入れ過ぎや、鍋に水と米を入れ炊飯をスタートするつもりが誤ってクリーニング機能をスタートさせた場合といった誤使用時においては、クリーニング機能動作中にもふきこぼれが起こりうるので、クリーニング機能動作中でも、検査手段がふきこぼれを検知したときには、第二のパワー制御手段がパワーを落とすことにより、ふきこぼれを防止するものである。
【００１５】
請求項２に記載の発明は、ふきこぼれの量が多く、長時間ずっとふきこぼれを検知している場合、異常処理を行うことによって加熱を引き続き行い、炊飯のつもりが誤ってクリーニング機能を選択された場合でも、一定以上の調理性能を保証するものである。
【００１６】
請求項３に記載の発明は、ふきこぼれの量が多く、何回もふきこぼれを検知する場合、異常処理を行うことによって加熱を引き続き行い、炊飯のつもりが誤ってクリーニング機能を選択された場合でも、一定以上の調理性能を保証するものである。
【００１７】
請求項４に記載の発明は、水の量が多すぎるといった場合の時間異常制御手段による制御中でも、クリーニング正常動作と同時間に動作を終了させ、正常動作と同じ時間で処理を終わるものである。
【００１８】
請求項５に記載の発明は、水の量が多すぎるといった場合の回数異常制御手段による制御中でも、クリーニング正常動作と同時間に動作を終了させ、正常動作と同じ時間で処理を終わるものである。
【００１９】
請求項６に記載の発明は、時間異常制御手段による制御中にも、ふきこぼれが発生しないように検知手段がふきこぼれを検知したとき、第三のパワー制御手段でパワーを落とすものである。
【００２０】
請求項７に記載の発明は、回数異常制御手段による制御中にも、ふきこぼれが発生しないように検知手段がふきこぼれを検知したとき、第四のパワー制御手段でパワーを落とすものである。
【００２１】
【実施例】
以下、本発明の実施例について図面を参照しながら説明する。
【００２２】
図１は本発明の実施例のブロック図である。図１で動作を説明する。１０が調理物を入れる内鍋であり、内鍋１０中の調理物を加熱手段１１が加熱する。１２がふきこぼれを検知する検知手段であり、炊飯中に検知手段１２がふきこぼれを検知すると、第一のパワー制御手段１３がパワーを落とす。炊飯中の動作は炊飯制御手段１４で制御する。１５はクリーニング機能を制御するクリーニング制御手段であり、入力手段１６によってクリーニング機能動作を開始する。クリーニング機能時に、沸騰させる一定時間は第二のタイマ１７によって計時しており、一定時間がたつと、クリーニング終了手段１８によってクリーニング機能を終了させる。
【００２３】
水の入れ過ぎや鍋に水と米を入れて炊飯をスタートするつもりが誤ってクリーニング機能を選択した場合といった異常時にはクリーニング機能時でもふきこぼれが起こる場合がある。クリーニング機能動作中に検知手段１２がふきこぼれを検知すると、第二のパワー制御手段１９によってパワーを落とす。第一のタイマ２０はふきこぼれが起きている時間を計時しており、ある一定時間以上、ふきこぼれが起こっている場合は異常と判断し、時間異常制御手段２１によって、異常処理工程を動作させる。カウンタ２２はふきこぼれが起きた回数をカウントしており、ある一定回数以上、ふきこぼれが起こっている場合は異常と判断し、回数異常制御手段２３によって、異常処理工程を動作させる。
【００２４】
時間異常制御手段２１によって異常処理工程になった場合でも、通常のクリーニング機能動作中と同じ時間で終了するように、時間異常終了手段２４が動作する。同様に、回数異常制御手段２３によって異常処理工程になった場合でも、通常のクリーニング機能動作中と同じ時間で終了するように、回数異常終了手段２５が動作する。
【００２５】
時間異常制御手段２１によって異常処理工程になった場合、異常処理工程中でも、検知手段１２がふきこぼれを検知した場合、第三のパワー制御手段２６によって、パワーを落とす。同様に、回数異常制御手段２３によって異常処理工程になった場合、異常処理工程中でも、検知手段１２がふきこぼれを検知した場合、第四のパワー制御手段２７によって、パワーを落とす。
【００２６】
図２は、本発明の実施例の回路図である。図２において、２８が商用電源、２９がダイオードブリッジ、３０が平滑用コンデンサ、３１が共振用コンデンサ、３２が発振制御用のスイッチング素子、３３が加熱コイルであり、加熱コイル３３で内鍋１０を誘導加熱する。３４が電源回路であり、マイコン３５に電源を供給する。３６がふきこぼれ検知スイッチであり、検知手段１２に相当する。３７がクリーニング選択スイッチであり、入力手段１６に相当する。
【００２７】
図３は、本発明の実施例の模式図である。図３において、本体の中に内鍋１０が設置されており、内鍋１０を加熱コイル３３によって誘導加熱を行う。蓋部の中心部にふきこぼれ検知スイッチ３６が設置されており、拡大図のようにふきこぼれが上昇してくると、中の玉がふきこぼれによって上部に押し出されることによりスイッチが入る仕組みになっている。
【００２８】
図４は、クリーニング機能の工程図である。図４において、クリーニング機能がスタートすると、まず水が沸騰するまで、通電比率１６／１６といった強めの火力で加熱を行う。水が沸騰すると通電比率を１２／１６にし、火力を少し落として沸騰を維持し、炊飯器内のにおいを飛ばし、汚れを落ちやすくする。そしてクリーニング機能動作開始から４０分たつとクリーニング機能を終了する。図５は、クリーニング機能のふきこぼれを検知した場合の異常動作を記した工程図である。図４と同様に水が沸騰してしばらくは同じ動作を行う。沸騰を維持しているときに、ふきこぼれ検知スイッチ３６によってふきこぼれを長時間あるいは何回も検知すると、時間異常制御手段２４あるいは回数異常制御手段２５によって異常工程に入る。異常工程では通電比率を７／１６にして、さらにパワーを落とし、ふきこぼれをより起こりにくくする。ともかくも加熱を引き続き行うことにより、炊飯のつもりがクリーニングを選んだつもりでもとにかく食べられるご飯を炊くことができ、また水の入れすぎの場合でもとにかくクリーニング機能の加熱を続行し、一定以上のクリーニング効果が得られるものである。そして異常工程になった場合でも、クリーニング機能動作開始から４０分で動作を終了し、正常動作時と同じ時間に終わるようにして、使い勝手を良くしている。
【００２９】
図６は、本発明の実施例のマイコン３５の動作のフローチャートである。図６は、主にクリーニング機能に関する部分を書いてある。図６をもとに動作を説明する。ステップ３８でクリーニング選択スイッチ３７の入力を見ており、入力があれば、ステップ３９へ行く。ステップ３９では沸騰したかどうかを見ており、沸騰してなければステップ４０へ行き、通電比率＝１６／１６とし、ステップ４２へ行く。沸騰していればステップ４１へ行き、通電比率＝１２／１６とし、ステップ４２へ行く。ステップ４２ではふきこぼれ検知スイッチ３６によるふきこぼれ検知が１分以上続いたことがあるかを見ており、続いたことがなければ、ステップ４３へ行く。ステップ４３ではこのクリーニング機能動作中に、ふきこぼれ検知スイッチ３６によるふきこぼれ検知が１０回以上あったかどうかを見ており、なければステップ４５へ行く。ふきこぼれ検知スイッチ３６によるふきこぼれ検知が１分以上あった場合、または１０回以上あった場合は、ステップ４４へ行き、異常処理として通電比率＝７／１６とする。ステップ４５では、ふきこぼれ検知スイッチ３６によるふきこぼれ検知があったどうかを見ており、なければステップ４６へ行き、ふきこぼれ時間計時用のタイマをクリアして、ステップ５０へ行く。ふきこぼれ検知があった場合は、ステップ４７へ行き、ふきこぼれが起きないように通電比率＝０として、パワーをオフする。このように処理を行うことにより、正常動作、異常動作に関わらず、ふきこぼれを検知したときは、パワーをオフする処理が可能となるものである。続いてステップ４８でふきこぼれ時間計時用タイマをカウント、ステップ４９でふきこぼれ回数カウンタのカウント処理を行い、ステップ５０へ行く。ステップ５０では、クリーニング機能スタート時からの時間を計時するタイマのカウント処理を行う。ステップ５１では、クリーニングスタートして以来の時間が４０分以上たったかどうかを見ており、４０分たってなければ、ステップ３９へ戻り、クリーニング機能動作を続行し、４０分たっていれば、ステップ５２でカウンタ、タイマ類をクリアし、ステップ５３で通電比率＝０としてパワーをオフし、ステップ３８へ行き、クリーニング機能を終了させる。このように処理すると、正常動作でも異常動作を行った場合でも同じ時間に終了させることが可能となるものである。
【００３０】
今回の実施例においては加熱手段に誘導加熱手段を用いたが、加熱手段としては、アルミ鋳込みヒータあるいはガス加熱といった他の手段を用いても良いことは言うまでもない。本実施例においては時間異常処理と回数異常処理を同じ処理としてあつかったが、違う処理として扱っても良いことは言うまでもない。そして今回、異常処理は、正常動作から通電比率を変えたのみであるが、工程時間や処理用の温度点を変えてても、同様の効果が得られるものである。また、今回はふきこぼれを検知したときはパワーをオフしたが、通電比率を小さくする、あるいは加熱電力を小さくするといった手段でも同様の効果が得られることは言うまでもない。
【００３１】
【発明の効果】
以上のように、請求項１に記載の発明は、通常使用上はふきこぼれが起こらないクリーニング機能動作中にも、ふきこぼれ検知を行い、ふきこぼれを検知したときはパワーを落とすことでふきこぼれを防止することにより、水の入れ過ぎや、鍋に水と米を入れ炊飯をスタートするつもりが誤ってクリーニング機能をスタートさせた場合等といった誤使用の場合でも、ふきこぼれが起こることを防止し、使用者に親切な、使い勝手の良い炊飯器が得られるものである。
【００３２】
また、請求項２に記載の発明は、ふきこぼれの量が多く、長時間ずっとふきこぼれを検知しているような場合でも、異常処理を行うことにより加熱を引き続き行うことにより、炊飯のつもりが誤ってクリーニング機能を選択された場合でも、一定以上の調理性能を保証し、食べられるご飯を炊くことができるものである。また水の入れすぎにおいても、加熱を引き続き行うことにより、一定以上のクリーニング効果が得られるといったように誤使用においても一定以上の性能を得ることができるものである。
【００３３】
また、請求項３に記載の発明は、ふきこぼれの量が多く、何回もふきこぼれを検知する場合、異常処理を行うことによって加熱を引き続き行うことにより、炊飯のつもりが誤ってクリーニング機能を選択された場合でも、一定以上の調理性能を保証し、食べられるご飯を炊くことができるものである。また水の入れすぎにおいても、加熱を引き続き行うことにより、一定以上のクリーニング効果が得られるといったように誤使用においても一定以上の性能を得ることができるものである。
【００３４】
また、請求項４に記載の発明は、水の量が多すぎるといった場合の時間異常制御手段による制御中でも、クリーニング正常動作と同時間に動作を終了させ、正常動作と同じ時間で処理を終わり、使い勝手が異常時でも変わらないものである。
【００３５】
また、請求項５に記載の発明は、水の量が多すぎるといった場合の回数異常制御手段による制御中でも、クリーニング正常動作と同時間に動作を終了させ、正常動作と同じ時間で処理を終わり、使い勝手が異常時でも変わらないものである。
【００３６】
また、請求項６に記載の発明は、時間異常制御手段による制御中にも、ふきこぼれが発生しないように検知手段がふきこぼれを検知したとき、第三のパワー制御手段でパワーを落とすことにより、異常処理時でもふきこぼれを防止し、ふきこぼれのしない使い勝手の良い炊飯器が得られるものである。
【００３７】
また、請求項７に記載の発明は、回数異常制御手段による制御中にも、ふきこぼれが発生しないように検知手段がふきこぼれを検知したとき、第四のパワー制御手段でパワーを落とすことにより、異常処理時でもふきこぼれを防止し、ふきこぼれのしない使い勝手の良い炊飯器が得られるものである。
【図面の簡単な説明】
【図１】本発明の一実施例における炊飯器のブロック図
【図２】同、炊飯器の回路図
【図３】同、炊飯器の模式図
【図４】同、炊飯器のクリーニング機能の時間特性図
【図５】同、炊飯器のクリーニング機能の異常動作時の時間特性図
【図６】同、炊飯器の動作のフローチャート
【図７】従来の炊飯器のブロック図
【符号の説明】
１０  内鍋
１１  加熱手段
１２  検知手段
１３  第一のパワー制御手段
１４  炊飯制御手段
１５  クリーニング制御手段
１６  入力手段
１７  第二のタイマ
１８  クリーニング終了手段
１９  第二のパワー制御手段
２０  第一のタイマ
２１  時間異常制御手段
２２  カウンタ
２３  回数異常制御手段
２４  時間異常終了手段
２５  回数異常終了手段
２６  第三のパワー制御手段
２７  第四のパワー制御手段
【図１】
0003552548.tif 000002
【図２】
0003552548.tif 000003
【図３】
0003552548.tif 000004
【図４】
0003552548.tif 000005
【図５】
0003552548.tif 000006
【図６】
0003552548.tif 000007
【図７】
0003552548.tif 000008